(57)【要約】【課題】バルコニーの使用を妨げず、かつその保守管理に手間がかからない屋外配置型の日除け装置を提供する。【解決手段】マンション１の部屋２に隣接するバルコニー６には、可動式の日除け植栽パネル１０、１１を備えた日除け植栽装置Ｐが設けられている。この日除け植栽装置Ｐにおいては、複数の支柱９がバルコニー６の腰壁部７にアンカーで固定されている。日除け植栽パネル１０、１１は、隣り合う２つの支柱９に挟まれて、左右方向及び前後方向の位置が規制されている。そして、日除け植栽パネル１０、１１は、腰壁部７のより高い位置と、腰壁部７より低い位置との間で、支柱９に沿って上下方向に移動することができる。日除け植栽パネル１０、１１は、外側に位置するパネル状の断熱部材１４、１８と、内側に位置し植物を植え付けることができるパネル状の植栽部材１５、１９とを備えている。【選択図】図３
2004060277.tif 000002
【特許請求の範囲】
【請求項１】
建物の部屋に隣接し、該部屋からほぼ水平方向外向きに張り出す張り出し縁部に配設された、上記部屋に向かう日射しを遮るための日除け植栽装置であって、
張り出し縁部の外端部近傍から上向きに立ち上がる腰壁部に固定された、上下方向に伸びる複数の支柱と、
隣り合う２つの支柱に挟まれ、該支柱によって左右方向及び前後方向の位置が規制される一方、腰壁部の上端より上側の第１の位置と、腰壁部の上端より下側の第２の位置との間で、支柱に沿って上下方向に移動することができ、かつ上記第１又は第２の位置で静止することができる可動式の日除け植栽パネルとが設けられ、
日除け植栽パネルが、互いに積層された、外側に面するパネル状の断熱部材と、内側に面し植物を植え付けることができるパネル状の植栽部材とを備えていることを特徴とする日除け植栽装置。
【請求項２】
日除け植栽パネルが、左右２本のワイヤによって吊り下げられていて、
各ワイヤは、それぞれ、日除け植栽パネルから上向きに伸長し、支柱の上端部近傍に設けられた定滑車により伸長方向を反転させられて下向きに伸長し、その先端部に日除け植栽パネルのほぼ１／２の重さのおもりが取り付けられていることを特徴とする請求項１に記載の日除け植栽装置。
【請求項３】
上記建物が複数階建てのマンションであり、上記部屋が南ないし西向きであることを特徴とする請求項１又は２に記載の日除け植栽装置。
【発明の詳細な説明】
【０００１】
【発明の属する技術分野】
本発明は、マンション等のバルコニーないしベランダ等に配置される、部屋への日射しを遮るための可動式の日除け植栽パネルを備えた屋外配置型の日除け植栽装置に関するものである。
【０００２】
【従来の技術】
一般に、南ないし西に向いた部屋では、窓を介して室内に強い日射しが射し込む。そこで、日射しを和らげあるいは遮断するために、室内には、窓に近接してレース、布等からなるカーテンが設けられることが多い。しかし、日本の多くの地域では、おおむね４月から１０月にかけて、とくに正午頃から日没まで、南ないし西に面している窓に非常に厳しい日射しがあたり、この日射しがカーテンを通り抜けて室温を上昇させる。このため、エアコンがフル運転状態になることもしばしばである。そこで、屋外に、よしず等の日除け具を、窓を覆うようにたてかけ、日射しを遮るようにするといった対応がなされることが多い。
【０００３】
【発明が解決しようとする課題】
ところで、複数階建ての集合住宅、例えばマンション等でよしず等の日除けを用いる場合は、これをバルコニーないしはベランダに配置することになる。しかしながら、一般に、マンション等のバルコニーは狭いので、このような日除けをバルコニーに配置すると、洗濯物が干しにくくなるなどして、バルコニーの使い勝手が極めて悪くなるといった問題がある。
【０００４】
また、よしず等の日除けを使用しない時期、例えばおおむね１１月から翌年の３月にかけての期間は、これを収納しておく収納場所が必要となる。しかし、一般にマンションでは、このような収納場所を確保するのが困難である。さらには、よしず等の従来の日除けは、あまり美観に優れているとはいえない。
【０００５】
なお、高層マンションの場合は、バルコニー付近に強い風が吹くことが多いので、単純によしず等の日除けをたてかけた場合、日除けが強風にあおられて吹き飛ばされるおそれがある。したがって、高層マンションでは、細い針金などといったものでなく、かなり堅固な留め具などを用いて日除けを固定しなければならず、その保守管理に手間がかかり、また安全性に注意を払わなければならないといった問題がある。
【０００６】
本発明は、上記従来の問題を解決するためになされたものであって、バルコニーないしベランダを備えた集合住宅、例えばマンション等において、バルコニーないしベランダの使用を妨げず、かつその収納場所を必要とせず、部屋に強い日射しがあたるのを有効に防止することができる、保守管理が容易で安全性の高い日除け装置を提供することを解決すべき課題とする。
【０００７】
【課題を解決するための手段】
上記課題を解決するためになされた本発明にかかる日除け植栽装置は、（ｉ）建物の部屋に隣接し、該部屋からほぼ水平方向外向きに張り出す張り出し縁部（例えば、バルコニー、ベランダ等）に配設された、上記部屋に向かう日射し（日光）を遮るための日除け植栽装置であって、（ｉｉ）張り出し縁部の外端部近傍から上向きに立ち上がる腰壁部に固定された、上下方向に伸びる複数の支柱と、（ｉｉｉ）隣り合う２つの支柱に挟まれ（囲まれ）、該支柱によって左右方向及び前後方向の位置が規制される（位置決めされる）一方、腰壁部の上端より上側の第１の位置と、腰壁部の上端より下側の第２の位置との間で、支柱に沿って上下方向に移動することができ、かつ上記第１又は第２の位置で静止することができる可動式の日除け植栽パネルとが設けられ、（ｉｖ）日除け植栽パネルが、互いに積層された、外側（建物の外側）に面するパネル状の断熱部材と、内側（部屋側）に面し植物を植え付けることができるパネル状の植栽部材とを備えていることを特徴とするものである。
【０００８】
この日除け植栽装置において、可動式の日除け植栽パネルを腰壁部の上端より高い第１の位置に静止させれば、日除け植栽パネルによって、日射しが部屋にあたるのが防止される。すなわち、日除け植栽装置は、例えばよしずなどと同様に、屋外配置型の日除けとして機能する。他方、日除け植栽パネルを腰壁部の上端より低い第２の位置に静止させれば、屋外配置型の日除けを設けていない場合と同様に、日射しが部屋にあたる。したがって、この日除け植栽装置は、常設型とすることができるので、とくには収納場所を必要としない。
【０００９】
この日除け植栽装置は、平面視では、日除け植栽パネルの位置のいかんにかかわらず、バルコニーないしベランダ等の張り出し縁部の腰壁部近傍の非常に狭い領域を占めるだけであるので、該張り出し縁部の使用を何ら妨げない。また、この日除け植栽装置では、例えばアンカーなどを用いて、支柱が腰壁部に強固に固定され、日除け植栽パネルがその左右の支柱に挟まれた構造を有するので、たとえ強風に見舞われたとしても、日除け植栽装置ないしその部品が吹き飛ばされることはない。したがって、この日除け植栽装置は、保守管理が容易であり、かつ安全性が高い。
【００１０】
さらに、日除け植栽パネルを構成する植栽部材には植物を植え付けることができるので、例えば、鉛直面でも育成可能な花などを植栽部材に植え付ければ、日除け植栽パネルないし植栽部材は縦壁状の花壇となる。したがって、該部屋の周りの美観が極めて良好となる。なお、日除け植栽パネルには断熱部材が設けられているので、日光により生じる熱は、植栽部材に伝わらない。
【００１１】
上記日除け植栽装置においては、日除け植栽パネルが、左右２本のワイヤ（あるいは、ひも）によって吊り下げられていて、各ワイヤは、それぞれ、日除け植栽パネルから上向きに伸長し、支柱の上端部近傍に設けられた定滑車により伸長方向を反転させられて下向きに伸長し、その先端部に日除け植栽パネルのほぼ１／２の重さのおもりが取り付けられているのが好ましい。このようにすれば、日除け植栽パネルと２つのおもりとが釣り合うので、とくに力を加えない限り日除け植栽パネルは静止し、またわずかな力を加えるだけで、日除け植栽パネルを上下方向に容易に移動させることができる。
【００１２】
なお、上記日除け植栽装置においては、上記建物が複数階建てのマンション（とくに高層マンション）であり、上記部屋が南ないし西向きである（南から西までの間のいずれかの方向を向いている）場合に、とくに効果を発揮する。
【００１３】
【発明の実施の形態】
図１と図２とに示すように、複数階建てのマンション１の部屋２には窓３（ないしは出入り口）が設けられ、この窓３には、アルミサッシに透明ガラスがはめ込まれてなる１対の引き戸４が設けられている。各引き戸４は、部屋２の床面５とほぼ同じ高さの位置に設けられた敷居と、部屋２の天井よりやや低い位置に設けられた鴨居との間（例えば、上下間隔１９００ｍｍ）にはめ込まれ、左右に移動して窓３を開閉するようになっている。部屋２の外側には、これと隣接してほぼ水平方向外向きに張り出したコンクリート製のバルコニー６（ないしはベランダ）が設けられ、バルコニー６の外端には、これと一体形成され、上向きに立ち上がったコンクリート製の腰壁７（例えば、高さ１１００ｍｍ）が設けられている。バルコニー６には、腰壁７と隣接して排水溝８が設けられている。そして、バルコニー６ないし腰壁７には、日除け植栽装置Ｐ（例えば、全高２１００ｍｍ）が設けられている。なお、バルコニー６の上面と、１つ上の階のバルコニーの下面との間隔は、一般に、２７００〜２９００ｍｍである。
【００１４】
図３と図４とに示すように、日除け植栽装置Ｐは、左右方向に一定の間隔で配置されそれぞれ上下方向に伸びるアルミニウム製ないしアルミ合金製の複数の支柱９と、隣り合う２つの支柱９によって挟まれた（囲まれた）第１日除け植栽パネル１０及び第２日除け植栽パネル１１とを備えている。なお、支柱９の材料としてアルミニウムないしアルミ合金を用いるのは、これらは錆に強く、耐候性が高く、かつ加工が容易で軽量だからである。
【００１５】
各支柱９は、それぞれ複数のアンカー２３を用いて腰壁７に強固に固定されている。そして、第１日除け植栽パネル１０及び第２日除け植栽パネル１１は、それぞれ、その両側の支柱９に沿って上下方向に移動することができるようになっている。なお、支柱９には、物干し竿（図示せず）をかけるための竿受け金物１２が付設されている。
【００１６】
第１日除け植栽パネル１０は、実質的に、その外郭をなすフレーム１３（枠）と、それぞれフレーム１３に取り付けられたパネル状の断熱部材１４と植栽部材１５とが積層されてなる積層体とで構成されている。ここで、積層体（断熱部材１４及び植栽部材１５）の４つの側面はフレーム１３によって覆われているが、両広がり面は外部に露出している。ここで、第１日除け植栽パネル１０は、断熱部材１４がマンション１の外側に面し、植栽部材１５が内側（部屋側）に面するように配置されている。そして、第１日除け植栽パネル１０は、他端におもり２１が取り付けられたワイヤ１６によって吊り下げられ、後で説明するパネル昇降機構Ｒ（図５参照）により、左右の支柱９に沿って、両矢印Ｙ１で示す方向すなわち上下方向に移動することができるようになっている。図３では、両日除け植栽パネル１０、１１は最も高い位置にある。なお、図３中の仮想線（２点鎖線）で示す両日除け植栽パネル１０’、１１’は、最も低い位置にある状態を示している。
【００１７】
第１日除け植栽パネル１０において、フレーム１３は、軽量で耐久性及び耐候性の高い材料、例えばアルミニウムないしアルミ合金等で形成されている。断熱部材１４は、直射日光が植栽部材１５にあたるのを防止するとともに、日光から生じる熱が植栽部材１５に伝わるのを防止するために設けられている。断熱部材１４は、日光あるいは風雨にさらされることが多いので、耐候性が高いパネル状の断熱材、例えば発泡セラミックスなどといった発泡無機質系の断熱材で形成されている。
【００１８】
植栽部材１５は、鉛直面でも植生可能な草花、草本、芝生等の植物を育成することができる材料で形成されている。かかる材料としては、例えば、金属あるいはプラスチック等からなる網状体の中に、土、砂利、砂、砕石、砕砂、スラグ等を収容したものなどを用いることができる。なお、植栽部材１５には、肥料等、植物の成長を促進する成分が含まれている。したがって、植栽部材１５には、上記植物を植え付けたり、あるいは該植物の種子をまいたりすることができる。
【００１９】
第２日除け植栽パネル１１も、第１日除け植栽１０と同様の構造のものであり、第１日除け植栽１０の場合と同様のフレーム１７と断熱部材１８と植栽部材１９とで構成されている。また、第２日除け植栽パネル１１は、他端におもり２２が取り付けられたワイヤ２０によって吊り下げられ、パネル昇降機構Ｒ（図５参照）により、左右の支柱９に沿って、両矢印Ｙ２で示す方向すなわち上下方向に移動することができるようになっている。
【００２０】
以下、図５を参照しつつ、第１日除け植栽パネル１０と第２日除け植栽パネル１１とを支柱９に沿って上下方向に昇降させるパネル昇降機構Ｒを説明する。ただし、第１日除け植栽パネル１０用のパネル昇降機構Ｒと、第２日除け植栽パネル１１用のパネル昇降機構Ｒとは実質的には同一構成であるので、以下では第１日除け植栽パネル１０用のパネル昇降機構Ｒのみを説明する。第１日除け植栽パネル１０用のパネル昇降機構Ｒの主要部は、図４中のＡで示す部分に部分に収容されている。
【００２１】
図５に示すように、第１日除け植栽パネル１０用のパネル昇降機構Ｒにおいては、支柱９の上端部に、第１定滑車２５と第２定滑車２６とからなるワイヤ支持機構が２組設けられている。ここで、左側のワイヤ支持機構は、左側に位置する１つの第１日除け植栽パネル１０の右上端部に一端が連結されたワイヤ１６を支持している。他方、右側のワイヤ支持機構は、右側に位置するもう１つの第１日除け植栽パネル１０の左上端部に一端が連結されたワイヤ１６を支持している。
【００２２】
したがって、詳しくは図示していないが、１つの第１日除け植栽パネル１０のフレーム１３の右上端部と左上端部とには、それぞれワイヤ１６が連結されている。すなわち、第１日除け植栽パネル１０は、左右２本のワイヤ１６によって吊るされ、各ワイヤ１６は、それぞれ第１日除け植栽パネル１０の重量（質量）をおよそ１／２ずつ担っている。なお、両定滑車２５、２６の上方には、これらを風雨等から保護するためのカバー２７が設けられている。
【００２３】
そして、一端が第１日除け植栽パネル１０のフレーム１３に連結された各ワイヤ１６は、鉛直上向きに伸び、第２定滑車２６と第１定滑車２５とに巻き掛けられてその伸長方向を１８０°変化させて鉛直下向きに伸びている。そして、ワイヤ１６の他端には、第１日除け植栽パネル１０のおよそ１／２の重さ（質量）のおもり２１が連結されている。つまり、各第１日除け植栽パネル１０は、２本のワイヤ１６を介して２つのおもり２１と釣り合っている。このため、力を加えなければ、第１日除け植栽パネル１０は静止する。また、わずかな力でもって容易に、第１日除け植栽パネル１０を支柱９に沿って上下方向に移動させることができる。なお、支柱９には、第１日除け植栽パネル１０の最低位置を定めるためのストッパー２８が設けられている。すなわち、第１日除け植栽パネル１０の下端部は、このストッパー２８の位置より低くなることはない。
【００２４】
以下、この日除け植栽装置Ｐの使用方法を説明する。
日射しが強く、直射日光が部屋２内に射し込むと、室温が大きく上昇する時期、例えば４月〜１０月の期間は、両日除け植栽パネル１０、１１を、それぞれ最も高い部位に位置（静止）させる。このとき、両日除け植栽パネル１０、１１は、腰壁７の上側に位置し、日光が窓３ないし引き戸４を介して部屋２内に射し込むのを防止する。つまり、両日除け植栽パネル１０、１１は、例えば従来のよしずなどと同様に、屋外に配置された日除けとして機能する。しかし、両日除け植栽パネル１０、１１は、平面視では、バルコニー６の、腰壁７近傍の非常に狭い領域を占めるだけであるので、バルコニー６の使用を何ら妨げない。
【００２５】
ここで、支柱９はアンカー２３を用いて腰壁７に強固に固定され、かつ両日除け植栽パネル１０、１１は支柱９によって挟まれているので、例えば、この日除け植栽装置Ｐが、しばしば強風に見舞われる高層マンションに設置された場合でも、該日除け植栽装置Ｐないしはこれを構成する各部材が吹き飛ばされるおそれはない。したがって、日除け植栽装置Ｐは、その保守管理が容易であり、かつその安全性は極めて高い。
【００２６】
また、両日除け植栽パネル１０、１１の植栽部材１５、１９に、植物とくに花を植え付ければ、該植栽部材１５、１９は縦壁状の花壇となり、部屋２内から窓３の外を眺めたときの眺めが非常に良好となる。ここで、植栽部材１５、１９は、植物の植え替えが容易であるので、四季折々、花を植え替えてもよい。また、植栽部材１５、１９は容易に取り替えることができるので、別のところで四季折々の花を育成した植栽部材１５、１９と適宜取り替えるようにしてもよい。
【００２７】
このように、この日除け植栽装置Ｐによれば、単に日射しが強い時期に直射日光が部屋２内に射し込むのを防止することができるだけでなく、マンション１の居住者に、美観により潤いを与えることができる。また、居住者は、バルコニー６で、園芸を楽しむことができる。
【００２８】
なお、この日除け植栽装置Ｐないし日除け植栽パネル１０、１１を、縦壁状の花壇として用いず、単に直射日光が部屋２内に射し込むのを妨げるためだけに用いる場合は、植栽部材１５、１９に植物を植え付けなくてもよい。あるいは、植栽部材１５、１９を取り外しておいてもよい。
【００２９】
日射しが弱く、直射日光が部屋２内に射し込んでもとくには支障がない時期、例えば１１月から翌年の３月までの期間は、両日除け植栽パネル１０、１１を、それぞれ最も低い部位に位置（静止）させる。このとき、両日除け植栽パネル１０、１１は、腰壁７の上端より下側に位置し、普通のバルコニーと同様に、日光が窓３ないし引き戸４を介して部屋２内に射し込む。この場合も、日除け植栽装置ないし両日除け植栽パネル１０、１１は、腰壁７の手前の非常に狭い領域を占めるだけであり、バルコニー６の使用を何ら妨げない。また、従来のよしずなどのように未使用時の収納場所を確保する必要はない。
【００３０】
この場合も、日除け植栽装置Ｐの両日除け植栽パネル１０、１１の植栽部材１５、１９に、植物とくに花を植え付ければ、該植栽部材１５、１９は縦壁状の花壇となり、部屋２内から窓３の外を眺めたときの眺めが非常に良好となる。つまり、この場合は、日除け植栽装置Ｐないし両日除け植栽パネル１０、１１は、単に花壇として機能する。
【００３１】
【発明の効果】
以上、本発明によれば、バルコニーないしベランダを備えた集合住宅、例えばマンション等において、バルコニーないしベランダの使用を妨げることなく、またその収納場所を必要とせず、かつ保守管理に手間をかけず、部屋に強い日射しがあたるのを有効に防止することができる。また、バルコニーないしベランダの美観を良くすることができる。
【図面の簡単な説明】
【図１】本発明にかかる日除け植栽装置を備えたマンションのバルコニー近傍部の立面断面図である。
【図２】本発明にかかる日除け植栽装置の斜視図である。
【図３】本発明にかかる日除け植栽装置の立面断面図である。
【図４】本発明にかかる日除け植栽装置の平面断面図である。
【図５】本発明にかかる日除け植栽装置のパネル昇降機構の立面断面図である。
【符号の説明】
Ｐ　日除け植栽装置、Ｒ　パネル昇降機構、１　マンション、２　部屋、３　窓、４　引き戸、５　床、６　バルコニー、７　腰壁、８　排水溝、９　支柱、１０　第１日除け植栽パネル、１１　第２日除け植栽パネル、１２　竿受け金物、１３　フレーム、１４　断熱部材、１５　植栽部材、１６　ワイヤ、１７　フレーム、１８　断熱部材、１９　植栽部材、２０　ワイヤ、２１　おもり、２２おもり、２５　第１定滑車、２６　第２定滑車、２７　カバー、２８　ストッパー。
【図１】
2004060277.tif 000003
【図２】
2004060277.tif 000004
【図３】
2004060277.tif 000005
【図４】
2004060277.tif 000006
【図５】
2004060277.tif 000007